(57)【要約】      （修正有）【課題】自動車等を載せた運搬台を次々と多数個積み込んで上昇又は下降させて、目的の階又は棚で順次取り出すことが出来る昇降設備を立体駐車設備に組み込み、自動車の出入を容易にする。【解決手段】上部と下部のチェインホイール１２及び１３に噛み合い循環する長尺の左循環チェイン１４を架台の左側壁２の前部と後部の二個所に設置し、この二本の左循環チェイン１４のアダプターにレール１６又はローラーコンベアー棒を一定の間隔をあけて取付け、この左側壁２と同構造の右側壁３とを一対として向かい合うよう併立して両壁の４本の循環チェイン１４及び１５に取付けた二本のレール１６及び１７又はローラーコンベアー棒で運搬台２０を挟むように水平に支持して、両壁循環チェイン１４及び１５を同時に同速に上下移動させることにより運搬台２０を昇降させるようにした設備。【選択図】図２
2009114828.tif 000002
【特許請求の範囲】
【請求項１】
昇降設備の架台１の左側壁２の前部に壁上部チェインホイール１２と壁下部チェインホイール１３を取付けて、これに長尺の左循環チェイン１４を噛み合わせ、又前記左側壁２の後部にも同様に壁上部チェインホイール１２と壁下部チェインホイール１３を取付けて、これに長尺の左循環チェイン１４を噛み合わせ、前記２本の左循環チェイン１４のアダプターにレール１６又はローラーコンベアー棒を一定の間隔に多数本取付け、そしてこの左側壁２と同構造の右側壁３とを向かい合うよう併立させて、左側壁２の左循環チェイン１４に取付けたレール１６又はローラーコンベアー棒と右側壁３の右循環チェイン１５に取付けたレール１７又はローラーコンベアー棒の上に建屋床上のレール１９又はコンベアーにより送り込まれた運搬台２０を水平に支持させた後、前記２本の左循環チェイン１４及び２本の右循環チェイン１５を同時に同速に上方又は下方に移動させて、前記運搬台２０を所定の階まで昇降させ、この階の建屋床上のレール１９上に引き出しうるようにした運搬台の昇降設備
【請求項２】
請求項１に記載の昇降設備の構造において、前記循環チェイン１４及び１５に取付ける多数本のレール１６及び１７又はローラーコンベアー棒の間隔を駐車用建屋の各階床上のレール１９又はコンベアーの高さの差に合わせることにより、昇降設備に載せられている運搬台２０を建屋の各階床に同時に数台下降させ、又、反対に乗り移ることを可能にした昇降設備
【請求項３】
運搬台２０移送用のレール１９又はコンベアーを備えた搬送路２３を地上一階より高層階まで重ねるように設け、その各階の入口部２４と奥の突き当たり部２５に請求項１に記載した昇降設備を取付けて、地上の入口部２４より上昇して各階の搬送路２３に入り、奥に進んで突き当たり部２５の昇降設備で降下し、地上の入口部に戻る多数のルートの循環運行が可能な駐車設備
【発明の詳細な説明】
【技術分野】
【０００１】  本発明は駐車設備及び物品収納設備に使用する昇降設備である
【背景技術】
【０００２】  自動車等の大型の物品を各階の床又は各棚に引き上げる設備としては、エレベーター、リフト等でこれらを引き上げて階上床に引き出している、この操作はその都度、１回宛行うものであって、連続的な操作ではない。
【発明の開示】
【発明が解決しようとする課題】
【０００３】  本発明は自動車等を載せた運搬台を次々と多数個積み込んで上昇又は下降させて、目的の階又は棚で順次取り出すことが出来る昇降設備を立体駐車設備に組み込み、自動車の出入を容易にする。
【課題を解決するための手段】
【０００４】  昇降設備の架台１の左側壁２の前部に壁上部チェインホイール１２と壁下部チェインホイール１３を取付けて、これに長尺の左循環チェイン１４を噛み合わせ、又前記左側壁２の後部にも同様に壁上部チェインホイール１２と壁下部チェインホイール１３を取付けて、これに長尺の左循環チェイン１４を噛み合わせ、前記２本の左循環チェイン１４のアダプターにレール１６又はローラーコンベアー棒を一定の間隔に多数本取付け、そしてこの左側壁２と同構造の右側壁３とを向かい合うよう併立させて、左側壁２の左循環チェイン１４に取付けたレール１６又はローラーコンベアー棒と右側壁３の右循環チェイン１５に取付けたレール１７又はローラーコンベアー棒の上に建屋床上のレール１９又はコンベアーにより送り込まれた運搬台２０を水平に支持させた後、前記２本の左循環チェイン１４及び２本の右循環チェイン１５を同時に同速に上方又は下方に移動させて、前記運搬台２０を所定の階まで昇降させ、この階の建屋床上のレール１９上に引き出しうるようにする。【０００５】  前記の昇降設備の構造において、前記循環チェイン１４及び１５に取付ける多数本のレール１６及び１７又はローラーコンベアー棒の間隔を駐車用建屋の各階床上のレール１９又はコンベアーの高さの差に合わせることにより、昇降設備に載せられている運搬台２０を建屋の各階床に同時に数台下降させ、又、反対に乗り移ることを可能にする。【０００６】  運搬台２０移送用のレール１９又はコンベアーを備えた搬送路２３を地上一階より高層階まで重ねるように設け、その各階の入口部２４と奥の突き当たり部２５に請求項１に記載した昇降設備を取付けて、地上の入口部２４より上昇して各階の搬送路２３に入り、奥に進んで突き当たり部２５の昇降設備で降下し、地上の入口部に戻る多数のルートの循環運行が可能な駐車設備を形成する。
【発明の実施をするための最良の形態】
【０００７】  図１〜図３は本発明の実施の一例として昇降設備の構造を示すものであって、昇降設備の架台１の左側壁の前部及び後部にある２本の左循環チェイン１４のアダプターに取付けたレール１６又はローラーコンベアー棒と右側壁の同じ構造の２本の右循環チェイン１５に取付けたレール１７又はローラーコンベアー棒の上に駐車用建屋床上のレール１９より運搬台２０を送り込んで載せ、水平に支持させる。
【０００８】  前記左及び右循環チェイン１４及び１５を駆動するために、減速機付モーター４の動力をモーター側チェインホイール６により、駆動用チェイン９及び左側壁のチェインホイール及び軸１０を通じて左側壁２の２本の左循環チェイン１４に伝えられる。又減速機付モーター４の回転はモーター側ギアー５からこれに噛み合う中間ギアー７により同速で逆方向の回転となってチェインホイール８より駆動用チェイン９及び右側駆動用チェインホイール及び軸１１を通じて右側壁３の２本の右循環チェイン１５に伝えられる。
【０００９】  従って２本の左循環チェインに取付けたレール１６又はローラーコンベアー棒と、２本の右循環チェインに取付けたレール１７又はローラーコンベアー棒は減速機付モーター２２の駆動により同時に同速に昇降するようになる。
【００１０】  左右の循環チェイン１４及び１５には多数本のレール１６及び１７又はローラーコンベアー棒が取付けられ、この数だけ運搬台２０を載せて昇降させることが出来る。このレール１６及び１７の取付けの間隔を駐車用建屋の各階床に敷かれたレール１９又はコンベアーの高さの差に合わせることにより、図３に示すように運搬台２０は各階床に同時に数台乗降させることが出来る。
【００１１】  図４及び図５は高層の駐車設備の各階の搬送路２３には運搬台２０移送用のレール１９又はコンベアーを布設し、レール１９使用の場合は運搬台２０には車輪２１を設け、走行用減速機付モーター２２により走行させて昇降設備に乗降させる。又運搬台２０をコンベアーにより移動するときは昇降設備には送り込み、及び引き出しの装置を設置する必要がある。自動車を載せた運搬台２０を地上の入口部２４より昇降設備に送り込み、これによって所定の階まで上昇した後、その階の搬送路２３に乗り移らせる。そして出車指示に従って奥に進んで突き当たり部２５の昇降設備に乗り移って地上の搬送路２３に降りて入口に向かい走行し入口部２４の昇降設備をくぐって、出車することになる。
【００１２】  建物床上のレール１９には運搬台２０の進行方向に少し降り勾配を付けることにより、その運行を容易にすることが出来る。
【００１３】  駐車設備への運搬台２０の送り込み、及び引出しの場合、本発明の昇降設備を用いることにより上昇又は下降の一方移送が可能になる。従って運搬台２０は駐車設備に向かって次々と送り込まれ、又、出車の場合も次々と地上の入口に送り出され、有効な駐車場運営が可能になる。
【産業上の利用可能性】
【００１４】  本発明の昇降設備を使用した図４及び図５は駐車設備以外に広く各種物品の収納用として利用できる。
【図面の簡単な説明】
【００１５】
【図１】本発明の実施形態の実施例として昇降設備の平面図
【図２】図１のＡ−Ａ断面図
【図３】図１のＢ−Ｂ断面図
【図４】本発明の昇降設備を使用した駐車設備の平面図
【図５】図４のＣ−Ｃ断面図
【符号の説明】
【００１６】  １・・・昇降設備の架台                  ２・・・架台の左側壁
３・・・架台の右側壁                    ４・・・チェイン駆動用減速機付モーター
５・・・モーター側ギアー                ６・・・モーター側チェインホイール
７・・・中間ギアー                      ８・・・中間ギアー付チェインホイール
９・・・駆動用チェイン
１０・・・左側駆動用チェインホイール及び軸
１１・・・右側駆動用チェインホイール及び軸
１２・・・壁上部チェインホイール        １３・・・壁下部チェインホイール
１４・・・左循環チェイン                １５・・・右循環チェイン
１６・・・左循環チェインのレール        １７・・・右循環チェインのレール
１８・・・駐車用建屋                    １９・・・建屋床上レール
２０・・・運搬台                        ２１・・・運搬台車輪
２２・・・運搬台走行用減速機付モーター  ２３・・・搬送路
２４・・・入口部                        ２５・・・奥の突き当たり部
【図１】
2009114828.tif 000003
【図２】
2009114828.tif 000004
【図３】
2009114828.tif 000005
【図４】
2009114828.tif 000006
【図５】
2009114828.tif 000007